(57)【要約】【課題】リターダの回転調節を行え、塵埃の反射型液晶表示パネルへの付着を効果的に防止でき鮮明な画像を得る上で有利なプロジェクションテレビジョン装置を提供する。【解決手段】各液晶表示パネル６０は第２の枠部材６４に取着されている。リターダ６２は液晶表示パネル６０に対向させて液晶表示パネル６０と直交する仮想軸の周りに回転可能に第２の枠部材６４で支持されている。そして、第１の枠部材７８に第２の枠部材６４が取着されることで液晶表示パネル６０およびリターダ６２が配設されている。各液晶表示パネル６０Ｒ、６０Ｇ、６０Ｂとリターダ６２との間が第１のシール部材８２により閉塞され、また、パネルカバー６６、遮光マスク６８、ホルダ８０、リターダ６２の外側が第２のシール部材８４で閉塞されている。【選択図】        図８
2007047477.tif 000002
【特許請求の範囲】
【請求項１】
スクリーンに画像投影光束を照射するプロジェクタユニットであって、
前記プロジェクタユニットは、光源を含む照明手段と、前記照明手段から出射された光束を画像情報に基づいて変調することで前記画像投影光束を生成して出射する画像形成手段とを有し、
前記画像形成手段は、３つの入出射面を有するプリズムブロックと、前記各入出射面に対向して配置された反射型液晶表示パネルと、前記各入出射面と前記反射型液晶表示パネルとの間に配設されたリターダとを備え、
前記プリズムブロックの各入出射面に第１の枠部材が配設され、
前記各液晶表示パネルは第２の枠部材に取着され、
前記リターダは前記反射型液晶表示パネルに対向させて前記反射型液晶表示パネルと直交する仮想軸の周りに回転可能に前記第２の枠部材で支持され、
前記リターダの周囲と前記反射型液晶表示パネルの周囲との間にそれらの間を閉塞する第１のシール部材が設けられ、
前記第１の枠部材に前記第２の枠部材が取着されることで前記反射型液晶表示パネルおよび前記リターダが前記入出射面に配設され、
前記反射型液晶表示パネルの外側および前記リターダの外側を覆うように前記第１の枠部材と前記第２の枠部材との間に第２のシール部材が設けられている、
ことを特徴とするプロジェクタユニット。
【請求項２】
前記第２の枠部材に、前記仮想軸の周りに回転可能にホルダが結合され、前記リターダは前記ホルダで支持され、前記ホルダに前記リターダの回転調節用の操作片が突設され、前記操作片は前記第２のシール部材の欠部を通って前記第２のシール部材の外側に突出し、前記欠部は、前記リターダの回転調節時に前記操作片の動きが許容されるように延在形成され、前記操作片と前記欠部との間は接着剤により閉塞されていることを特徴とする請求項１記載のプロジェクタユニット。
【請求項３】
前記操作片は前記第２のシール部材の外側で前記第２の枠部材に半田で取着されていることを特徴とする請求項２記載のプロジェクタユニット。
【請求項４】
前記第１の枠部材と前記第２の枠部材とは半田により取着されていることを特徴とする請求項１記載のプロジェクタユニット。
【請求項５】
前記第２の枠部材に、前記仮想軸の周りに回転可能にホルダが結合され、前記リターダは前記ホルダで支持され、前記液晶表示パネルと前記リターダの間に位置するように枠状の遮光マスクが前記第２の枠部材に取着され、前記第１のシール部材の基部全周は前記ホルダに取着され、前記第１のシール部材の先部全周は前記遮光マスクに摺動可能に弾接されていることを特徴とする請求項１記載のプロジェクタユニット。
【請求項６】
前記第２の枠部材に開口が設けられ、前記液晶表示パネルはその背面を前記開口に臨ませて前記第２の枠部材の一方の面に取着され、前記第２の枠部材の他方の面に、前記液晶表示パネルの背面に臨むようにヒートシンクが取着されていることを特徴とする請求項１記載のプロジェクタユニット。
【請求項７】
前記第２の枠部材に、前記仮想軸の周りに回転可能にホルダが結合され、前記リターダは前記ホルダで支持され、前記ホルダには、押圧操作されることで前記仮想軸の周りで時計回り方向に前記ホルダを回転させる第１の突起と、押圧操作されることで前記仮想軸の周りで反時計回り方向に前記ホルダを回転させる第２の突起とが設けられ、前記第２のシール部材に、前記第１の突起を収容し前記第２のシール部材の外側から前記第１の突起を押圧操作可能な第１の膨出部と、前記第２の突起を収容し前記第２のシール部材の外側から前記第２の突起を押圧操作可能な第２の膨出部とが設けられていることを特徴とする請求項１記載のプロジェクタユニット。
【請求項８】
背面投影型のスクリーンに画像投影光束を照射するプロジェクタユニットを備え、
前記プロジェクタユニットは、光源を含む照明手段と、前記照明手段から出射された光束を画像情報に基づいて変調することで前記画像投影光束を生成して出射する画像形成手段とを有し、
前記画像形成手段は、３つの入出射面を有するプリズムブロックと、前記各入出射面に対向して配置された反射型液晶表示パネルと、前記各入出射面と前記反射型液晶表示パネルとの間に配設されたリターダとを備えるプロジェクションテレビジョン装置であって、
前記プリズムブロックの各入出射面に第１の枠部材が配設され、
前記各液晶表示パネルは第２の枠部材に取着され、
前記リターダは前記反射型液晶表示パネルに対向させて前記反射型液晶表示パネルと直交する仮想軸の周りに回転可能に前記第２の枠部材で支持され、
前記リターダの周囲と前記反射型液晶表示パネルの周囲との間にそれらの間を閉塞する第１のシール部材が設けられ、
前記第１の枠部材に前記第２の枠部材が取着されることで前記反射型液晶表示パネルおよび前記リターダが前記入出射面に配設され、
前記反射型液晶表示パネルの外側および前記リターダの外側を覆うように前記第１の枠部材と前記第２の枠部材との間に第２のシール部材が設けられている、
ことを特徴とするプロジェクションテレビジョン装置。
【発明の詳細な説明】
【技術分野】
【０００１】
本発明はプロジェクタユニットおよびプロジェクションテレビジョン装置に関する。
【背景技術】
【０００２】
プロジェクタユニットは、例えば、フロントプロジェクタ装置やリアプロジェクタ装置あるいはプロジェクションテレビジョン装置などに用いられている。
例えば、プロジェクションテレビジョン装置では、プロジェクタユニットにより、背面投影型のスクリーンに画像投影光束を照射するようにしている。
プロジェクタユニットには、照明手段から出射された光束を画像情報に基づいて変調することで画像投影光束を生成して出射する画像形成手段が設けられている。
画像形成手段として、反射型液晶表示パネルと、反射型液晶表示パネルの表示面に対向して配設されたリターダとを備えるものが提案されている（特許文献１参照）。
そして、コントラストが良好な画像を得るために反射型液晶表示パネルに対してリターダを回転調節している。
【特許文献１】特開２００３−２０２６２９号公報
【発明の開示】
【発明が解決しようとする課題】
【０００３】
ところで、反射型液晶表示パネルは透過型液晶表示パネルよりも画素ピッチが狭いため、鮮明な画像を得る上で有利であるが、塵埃の影響を受けやすく、反射型液晶表示パネルの表面に塵埃が付着した場合には、スクリーンに映し出されてしまう。
一方、リターダを回転調節するためにはリターダと反射型液晶表示パネルの間に隙間を確保しなくてはならないが、隙間を確保するとこの隙間から塵埃が反射型液晶表示パネルに付着しやすく、鮮明な画像を得る上で不利がある。
本発明は、このような事情に鑑みなされたもので、その目的は、リターダの回転調節を行え、かつ、塵埃の反射型液晶表示パネルへの付着を効果的に防止でき、鮮明な画像を得る上で有利なプロジェクタユニットおよびプロジェクションテレビジョン装置を提供することにある。
【課題を解決するための手段】
【０００４】
上記目的を達成するために、本発明はスクリーンに画像投影光束を照射するプロジェクタユニットであって、前記プロジェクタユニットは、光源を含む照明手段と、前記照明手段から出射された光束を画像情報に基づいて変調することで前記画像投影光束を生成して出射する画像形成手段とを有し、前記画像形成手段は、３つの入出射面を有するプリズムブロックと、前記各入出射面に対向して配置された反射型液晶表示パネルと、前記各入出射面と前記反射型液晶表示パネルとの間に配設されたリターダとを備え、前記プリズムブロックの各入出射面に第１の枠部材が配設され、前記各液晶表示パネルは第２の枠部材に取着され、前記リターダは前記反射型液晶表示パネルに対向させて前記反射型液晶表示パネルと直交する仮想軸の周りに回転可能に前記第２の枠部材で支持され、前記リターダの周囲と前記反射型液晶表示パネルの周囲との間にそれらの間を閉塞する第１のシール部材が設けられ、前記第１の枠部材に前記第２の枠部材が取着されることで前記反射型液晶表示パネルおよび前記リターダが前記入出射面に配設され、前記反射型液晶表示パネルの外側および前記リターダの外側を覆うように前記第１の枠部材と前記第２の枠部材との間に第２のシール部材が設けられていることを特徴とする。
また、本発明は、背面投影型のスクリーンに画像投影光束を照射するプロジェクタユニットを備え、前記プロジェクタユニットは、光源を含む照明手段と、前記照明手段から出射された光束を画像情報に基づいて変調することで前記画像投影光束を生成して出射する画像形成手段とを有し、前記画像形成手段は、３つの入出射面を有するプリズムブロックと、前記各入出射面に対向して配置された反射型液晶表示パネルと、前記各入出射面と前記反射型液晶表示パネルとの間に配設されたリターダとを備えるプロジェクションテレビジョン装置であって、前記プリズムブロックの各入出射面に第１の枠部材が配設され、前記各液晶表示パネルは第２の枠部材に取着され、前記リターダは前記反射型液晶表示パネルに対向させて前記反射型液晶表示パネルと直交する仮想軸の周りに回転可能に前記第２の枠部材で支持され、前記リターダの周囲と前記反射型液晶表示パネルの周囲との間にそれらの間を閉塞する第１のシール部材が設けられ、前記第１の枠部材に前記第２の枠部材が取着されることで前記反射型液晶表示パネルおよび前記リターダが前記入出射面に配設され、前記反射型液晶表示パネルの外側および前記リターダの外側を覆うように前記第１の枠部材と前記第２の枠部材との間に第２のシール部材が設けられていることを特徴とする。
【発明の効果】
【０００５】
本発明によれば、リターダは第２の枠部材で回転可能に支持され、リターダの回転調節が行われる。反射型液晶表示パネルとリターダとの間が第１のシール部材により閉塞されているので、塵埃の反射型液晶表示パネルの表示面への付着を防止でき、鮮明な画像を得る上で有利となる。また、反射型液晶表示パネルの外側および前記リターダの外側を第２のシール部材で覆ったのでプロジェクタユニットおよびプロジェクションテレビジョン装置の使用時に、塵埃の反射型液晶表示パネルの表示面への付着をより一層防止でき、鮮明な画像を得る上でより一層有利となる。
【発明を実施するための最良の形態】
【０００６】
（第１の実施の形態）
以下、本発明のプロジェクタユニットおよびこのプロジェクタユニットを用いたプロジェクションテレビジョン装置の実施の形態を図面に基づいて詳細に説明する。
図１（Ａ）は第１の実施の形態のプロジェクションテレビジョン装置１００の正面図、（Ｂ）は側面図である。
図２はプロジェクションテレビジョン装置１００の分解斜視図である。
まず、プロジェクションテレビジョン装置１００の構成について説明する。
図１（Ａ）、（Ｂ）に示すように、プロジェクションテレビジョン装置１００はフレーム３０を備え、このフレーム３０にプロジェクタユニット１０と、反射ミラー４０と、背面投影型のスクリーン５０とが設けられている。
プロジェクタユニット１０は、画像投影光束を出射するものである。
反射ミラー４０はプロジェクタユニット１０の上方かつ背面投影型のスクリーン５０の後方に配置され、プロジェクタユニット１０から出射された画像投影光束をスクリーン５０の背面に向けて反射するものである。
スクリーン５０は、反射ミラー４０によって反射された画像投影光束が背面に投射されることで前面にテレビジョン画像が表示されるものである。
スクリーン５０は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
【０００７】
図２に示すように、フレーム３０は、プロジェクタユニット１０を保持するボトムキャビネット３１と、ボトムキャビネット３１の上部に設けられた矩形枠状のスクリーン取り付け部３２と、ボトムキャビネット３１の上部でスクリーン取り付け部３２の後方に設けられた逆台形状の反射ミラー取り付け部３３などを備えている。
スクリーン５０は、上下左右の取り付け部材５００２およびねじを介してスクリーン取り付け部３２に取着され、取り付け部材５００２およびスクリーン５０の周囲の箇所を覆うように枠状の化粧板５００４がスクリーン取り付け部３２に取り付けられる。
また、スクリーン取り付け部３２の下方のフレーム３０の前面部分は、ボトムキャビネット３１の前面部分３１０２が位置しており、この前面部分３１０２を覆うように化粧板３１０４が枠状の化粧板５００４の下部に取着される。
反射ミラー４０は、上下左右の取り付け部材４００２およびねじを介して反射ミラー取り付け部３３に取着され、取り付け部材４００２および反射ミラー４０を覆うように後部上カバー４００４がフレーム３０に取着される。
プロジェクタユニット１０はボトムキャビネット３１の前面部分３１０２の後方でベース部材２８を介してフレーム３０に取着され、プロジェクタユニット１０などを覆うように後部下カバー４００６がフレーム３０に取着される。
なお、図１（Ａ）において符号１０８は左右のスピーカーである。
【０００８】
図３はプロジェクタユニット１０の構成を示す説明図である。
図３に示すように、プロジェクタユニット１０は、照明手段１２と、画像形成手段１４と、反射ミラー１６と、入射レンズ１７と、投射レンズ１８とを有している。
図３に示すように、照明手段１２は画像形成手段１４に赤色（Ｒ）、緑色（Ｇ）、青色（Ｂ）の３色の光束を照射し、画像形成手段１４は、３色の光束を、３色のそれぞれに対応する画像情報に基づいて変調した後１つの画像投影光束として合成する。前記画像投影光束は、反射ミラー１６、投射レンズ１８を介して反射ミラー４０に照射され、反射ミラー４０によってスクリーン５０の背面に投射されスクリーン５０の前面にカラー画像が投影される。
【０００９】
本実施の形態では、図３に示すように、照明手段１２は、白色光を出射する光源１２０２と、照明光学系１２０４と、色分離光学系１２０６とを有し、それら光源１２０２と、照明光学系１２０４と、色分離光学系１２０６は第１のハウジング２０に収容保持されている。
照明光学系１２０４は光源１２０２の前方に直線状に配置された凹レンズ、ＵＶカットフィルター、コンデンサレンズなどを含んで構成され、光源１２０２からの白色光がこれらを通過し、色分離光学系１２０６に入射されるように構成されている。
色分離光学系１２０６は、照明光学系１２０４から導かれた光束（白色光）を赤色（Ｒ）、緑色（Ｇ）、青色（Ｂ）の３色の光束に分離するものである。
本実施の形態では、色分離光学系１２０６は、クロスダイクロイックミラー１２１０、第１、第２のミラー１２１２、１２１４、ダイクロイックミラー１２１６で構成されている。
【００１０】
クロスダイクロイックミラー１２１０は照明光学系１２０４から導かれた光束のうち、赤色（Ｒ）および緑色（Ｇ）の光束を透過し、かつ、青色（Ｂ）の光束を反射するダイクロイックミラー１２１０Ａと、照明光学系１２０４から導かれた光束のうち、赤色（Ｒ）および緑色（Ｇ）の光束を反射し、かつ、青色（Ｂ）の光束を透過するダイクロイックミラー１２１０Ｂとが９０度の角度で交差した状態で結合されたものである。
ダイクロイックミラー１２１６は、赤色（Ｒ）の光束を透過し、緑色（Ｇ）の光束を反射するように構成されている。
したがって、照明光学系１２０４からクロスダイクロイックミラー１２１０に導かれた光束は、クロスダイクロイックミラー１２１０により、赤色（Ｒ）および緑色（Ｇ）の光束と、青色（Ｂ）の光束との２つの光束に分離される。
クロスダイクロイックミラー１２１０によって分離された赤色（Ｒ）および緑色（Ｇ）の光束は、第１のミラー１２１２を介してダイクロイックミラー１２１６に導かれ、このダイクロイックミラー１２１６で赤色（Ｒ）の光束が透過されるとともに緑色（Ｇ）の光束が反射される。
また、クロスダイクロイックミラー１２１０によって分離された青色（Ｂ）の光束は、第２のミラー１２１４によって反射される。
このようにして色分離光学系１２０６で分離された赤色（Ｒ）、緑色（Ｇ）、青色（Ｂ）の光束が照明手段１２から画像形成手段１４に向けてそれぞれ出射される。
【００１１】
画像形成手段１４は、赤色（Ｒ）、緑色（Ｇ）、青色（Ｂ）の３色の画像情報をそれぞれ表示する３つの反射型の液晶表示パネル６０（６０Ｒ、６０Ｇ、６０Ｂ）を有している。
画像形成手段１４は、照明手段１２から出射された赤色（Ｒ）、緑色（Ｇ）、青色（Ｂ）の光束を、３つの液晶表示パネル６０によってそれぞれ変調し、それら変調された３色の光束を合成して１つの画像投影光束を生成して出射するように構成されている。
【００１２】
入射レンズ１７は、画像形成手段１４から導かれる前記画像投影光束が入射されるものである。
反射ミラー１６は、その反射面１６０２が入射レンズ１７の光軸に対して上方に４５度傾斜するように配置されている。
投射レンズ１８は、その光軸が反射面１６０２に対して４５度をなすように反射ミラー１６の上方に配置されている。
したがって、画像形成手段１４から導かれる前記画像投影光束は、入射レンズ１７を介して反射面１６０２で上方に９０度屈曲され、投射レンズ１８を介して反射ミラー４０に照射され、反射ミラー４０によってスクリーン５０の背面に投射され結像されることによりスクリーン５０の前面にカラー画像が形成される。
【００１３】
図４はプロジェクションテレビジョン装置１００の電装部の構成を示すブロック図である。
プロジェクションテレビジョン装置１００の電装部について説明する。
図４に示すように、プロジェクションテレビジョン装置１００は、受信回路１０２、画像信号処理回路１０４、音声信号処理回路１０６、スピーカー１０８、制御回路１１０、操作スイッチ１１２などを備え、上述した液晶表示パネル６０Ｒ、６０Ｇ、６０Ｂを含んで構成されている。
受信回路１０２は、制御回路１１０からの指令に基づいて選局を行い、アンテナから受信したテレビジョン信号を復調して画像信号と音声信号に分離して出力する。
画像信号処理回路１０４は、前記画像信号に対して必要な信号処理を行い、赤（Ｒ）、緑（Ｇ）、青（Ｂ）の３色の画像情報を生成し、これら各画像情報に対応する画像信号（駆動信号）を３つの液晶表示パネル６０Ｒ、６０Ｇ、６０Ｂにそれぞれ供給する。
音声信号処理回路１０６は、前記音声信号に対して必要な信号処理および増幅処理を行なってオーディオ信号を生成しスピーカー１０８に供給する。これによりスピーカー１０８から音声が発生される。
操作スイッチ１１２は、プロジェクションテレビジョン装置１００による放送の視聴にまつわる種々の操作や設定を行うためのものであり、例えば、選局スイッチ、音量調整スイッチ、入力切り換えスイッチなどを含んでいる。
制御回路１０８は、操作スイッチ１１２の操作に基づいて、受信回路１０２、画像信号処理回路１０４、音声信号処理回路１０６の制御を行う。
また、図示しないが、ＤＶＤプレーヤーやビデオデッキなどの外部装置から供給される画像信号および音声信号を入力するための外部入力端子と、これら外部入力端子に供給された画像信号および音声信号を画像信号処理回路１０４および音声信号処理回路１０６に切り換えて入力する入力切り換え回路が設けられている。
操作スイッチ１１２の操作により前記外部入力端子に供給される画像信号および音声信号が前記入力切り換え回路を介して画像信号処理回路１０４および音声信号処理回路１０６に供給されるようになっている。
【００１４】
次に本発明の要旨である画像形成手段１４について詳細に説明する。
図５、図６はプリズムブロック７０の斜視図、図７はプリズムブロック７０の平面図である。
画像形成手段１４は、上述の３つの液晶表示パネル６０の他に、プリズムブロック７０と、リターダ６２（図８参照）などを含んで構成され、各液晶表示パネル６０とリターダ６２はプロズムブロック７０に組み付けられている。
まず、プリズムブロック７０について説明する。
プリズムブロック７０は、図５乃至図７に示すように、クロスダイクロイックプリズム７４と、第１乃至第３のビームスプリッタ７２Ｒ、７２Ｇ、７２Ｂとを有している。
クロスダイクロイックプリズム７４は立方体状を呈し、上下面を除く４つの側面のうち、３つの側面に各側面より輪郭が小さい入射面７４Ｒ、７４Ｇ、７４Ｂが突出して形成され、残りの１つの側面に該側面よりも輪郭が小さい出射面７４Ｘが突出して形成されている。
それら入射面７４Ｒ、７４Ｇ、７４Ｂ、出射面７４Ｘは、それらの向きが互いに９０度ずつ異なるように設けられている。
また、各入射面７４Ｒ、７４Ｇ、７４Ｂの両側とクロスダイクロイックプリズム７４の前記３つの側面と間にはそれぞれ段差部が生じており、それら段差部のうち水平方向に向いた段差部は端面７６０２として形成されている。
【００１５】
第１乃至第３のビームスプリッタ７２Ｒ、７２Ｇ、７２Ｂは、矩形板状に形成され、光の偏光方向によって光を反射あるいは透過する機能を有するものである。
第１乃至第３のビームスプリッタ７２Ｒ、７２Ｇ、７２Ｂは、３つの入射面７４Ｒ、７４Ｇ、７４Ｂに４５度の傾斜を持って対面するように設けられている。
詳細には、３つの入射面７４Ｒ、７４Ｇ、７４Ｂの上下の段差部に台形を呈する取り付け板７４０２がそれぞれ接着剤によって隙間なく接着されている。
上下の取り付け板７４０２の間には、第１乃至第３のビームスプリッタ７２Ｒ、７２Ｇ、７２Ｂが配設され、第１乃至第３のビームスプリッタ７２Ｒ、７２Ｇ、７２Ｂの上下の縁と上下の取り付け板７４０２の間は接着剤によって隙間なく接着されている。
また、第１乃至第３のビームスプリッタ７２Ｒ、７２Ｇ、７２Ｂがそれぞれ３つの入射面７４Ｒ、７４Ｇ、７４Ｂに近接する左右両側の縁のうちの一方の縁と３つの入射面７４Ｒ、７４Ｇ、７４Ｂの間もそれぞれ接着剤によって隙間なく接着されている。なお、図５、図６では、これらの接着剤が省略されている。
【００１６】
第１のビームスプリッタ７２Ｒと、クロスダイクロイックプリズム７４の入射面７４Ｒと、上下の取り付け板７４０２によって三角柱状の空間が形成され、第１のビームスプリッタ７２Ｒの左右両側の縁のうちの他方の縁と、前記他方の縁に対向するクロスダイクロイックプリズム７４の入射面７４Ｒの縁（言い換えると端面７６０２部分）と、上下の取り付け板７４０２の縁によって前記空間が外方に臨む矩形状の開口７５Ｒが形成され、この開口７５Ｒ部分が入出射面７６Ｒとされる。
第２のビームスプリッタ７２Ｇと、クロスダイクロイックプリズム７４の入射面７４Ｇと、上下の取り付け板７４０２によって三角柱状の空間が形成され、第２のビームスプリッタ７２Ｇの左右両側の縁のうちの他方の縁と、前記他方の縁に対向するクロスダイクロイックプリズム７４の入射面７４Ｇの縁（言い換えると端面７６０２部分）と、上下の取り付け板７４０２の縁によって前記空間が外方に臨む矩形状の開口７５Ｇが形成され、この開口７５Ｇ部分が入出射面７６Ｇとされる。
第３のビームスプリッタ７２Ｂと、クロスダイクロイックプリズム７４の入射面７４Ｂと、上下の取り付け板７４０２によって三角柱状の空間が形成され、第３のビームスプリッタ７２Ｂの左右両側の縁のうちの他方の縁と、前記他方の縁に対向するクロスダイクロイックプリズム７４の入射面７４Ｂの縁（言い換えると端面７６０２部分）と、上下の取り付け板７４０２の縁によって前記空間が外方に臨む矩形状の開口７５Ｂが形成され、この開口７５Ｂ部分が入出射面７６Ｂとされる。
【００１７】
各入出射面７６Ｒ、７６Ｇ、７６Ｂには、図５乃至図７に示すように、第１の枠部材７８がそれぞれ配置されている。なお、図５乃至図７では、プリズムブロック７０の形状を明瞭にするため、入出射面７６Ｂのみに第１の枠部材７８が描かれ、残りの入射面７６Ｒ、７６Ｇでは第１の枠部材７８が省略されている。
詳細に説明すると、第１の枠部材７８は半田付けが可能な金属材料で形成されている。
第１の枠部材７８には、図５に示すように、各開口７５Ｒ、７５Ｇ、７５Ｂを形成する上下の取り付け板７４０２の縁および第１乃至第３のビームスプリッタ７２Ｒ、７２Ｇ、７２Ｂの他方の縁に沿ってコ字状に延在する取り付け面部７８０２が形成されている。
また、取り付け面部７８０２の上下で幅方向の中央に接着片７８０４が取り付け面部７８０２の背面側に向かって折曲形成され、取り付け面部７８０２の上下で幅方向の両側には上下に突出する取り付け片７８０６が形成されている。
そして、上下の接着片７８０４で上下の取り付け板７４０２を挟んだ状態で、各開口７５Ｒ、７５Ｇ、７５Ｂを形成する上下の取り付け板７４０２の縁および第１乃至第３のビームスプリッタ７２Ｒ、７２Ｇ、７２Ｂの他方の縁に第１の枠部材７８の取り付け面部７８０２の背面がそれぞれ接着剤により隙間なく接着されている。
また、端面７６０２部分では、上下に対向する取り付け面部７８０２の箇所に設けられた欠部７８０６と端面７６０２の上下部が係合し、それらの部分は接着剤により隙間なく接着されている。この状態で、取り付け面部７８０２が各入出射面７６Ｒ、７６Ｇ、７６Ｂの前方に臨む表面と、端面７６０２が各入出射面７６Ｒ、７６Ｇ、７６Ｂの前方に臨む面とは同一平面上を延在している。
【００１８】
そして、図３に示すように、プリズムブロック７０は、ダイクロイックミラー１２１６からの赤色（Ｒ）の光束が第１のビームスプリッタ７２Ｒに入射され、ダイクロイックミラー１２１６からの緑色（Ｇ）の光束が第２のビームスプリッタ７２Ｇに入射され、第２のミラー１２１４からの青色（Ｂ）の光束が第３のビームスプリッタ７２Ｂに入射されるように配置されている。
【００１９】
次に、３つの液晶表示パネル６０およびリターダ６２のプリズムブロック７０への取り付け構造について説明する。
図８はプリズムブロック７０に液晶表示パネル６０およびリターダ６２が取り付けられた状態を示す断面図である。
図９、図１０は第２の枠部材６４と液晶表示パネル６０の部分組み立て状態を示す斜視図である。
各液晶表示パネル６０は第２の枠部材６４に取着されている。リターダ６２は液晶表示パネル６０に対向させて液晶表示パネル６０と直交する仮想軸の周りに回転可能に第２の枠部材６４で支持されている。そして、第１の枠部材７８に第２の枠部材６４が取着されることで液晶表示パネル６０およびリターダ６２が配設されている。
【００２０】
詳細に説明すると、第２の枠部材６４は、図９、図１０に示すように、液晶表示パネル収容用の開口６４０２が形成された矩形枠状の支持プレート６４Ａと、支持プレート６４Ａの一方の面で両側の短辺に取着された取り付け部材６４Ｂと、支持プレート６４Ｂの他方の面に取着されたヒートシンク６４Ｃを備えている。
支持プレート６４Ａ、取り付け部材６４Ｂ、ヒートシンク６４Ｃは金属材料で形成され、取り付け部材６４Ｂは半田付け可能な材料で形成されている。
開口６４０２の周囲には、図８に示すように、液晶表示パネル６０載置用の載置面６４１０が形成されている。
図９、図１０に示すように、各取り付け部材６４Ｂには、開口６４０２を入出射面７６Ｒ、７６Ｇ、７６Ｂに合わせた際に、２つの取り付け片７８０６に対向する２つの取り付け片６４０４が設けられている。
２つの取り付け片６４０４は接続片６４０６により接続され、接続片６４０６と支持プレート６４Ａの一方の面との間には隙間６４０８が形成されている。
【００２１】
液晶表示パネル６０は、図８、図９に示すように、背面６００４の周囲を載置面６４１０に載せ、表示面６００２を載置面６４１０と反対の方向に向けて配置され接着剤により固定されている。
ヒートシンク６４Ｃは、図８に示すように、開口６４０２内に臨む液晶表示パネル６０の背面６００４に臨むように設けられている。
図９、図１０に示すように、液晶表示パネル６０からは、液晶表示パネル６０に画像を表示させるための駆動信号を供給するためのフレキシブル基板６１が延出され、フレキシブル基板６１は隙間６４０８を挿通して配設されている。
【００２２】
支持プレート６４Ａには、図８に示すように、液晶表示パネル６０の外側を囲むパネルカバー６６が取着されている。
図１１、図１２はパネルカバー６６の斜視図である。
パネルカバー６６は矩形枠状を呈し、その内側に開口６６０２が形成され、パネルカバー６６の厚さ方向の一方の面は、載置面６４１０の外側の支持プレート６４Ａの面に合わされる取り付け面６６０４として形成されている。
図１２に示すように、取り付け面６６０４には、フレキシブル基板６１を挿通するための欠部６６０６が設けられ、また、取り付け面６６０４には位置決めピン６６０８が突設されている。
パネルカバー６６は、取り付け面６６０４を支持プレート６４Ａの面に合わせ、位置決めピン６６０８を支持プレート６４Ａの位置決め孔（不図示）に嵌合し、接着剤により支持プレート６４Ａに固定される。なお、フレキシブル基板６１は、欠部６６０６を挿通して配設され、欠部６６０６とフレキシブル基板６１との間は接着剤により閉塞される。
図１１に示すように、パネルカバー６６の厚さ方向の他方の面には、開口６６０２の周囲に沿って矩形枠状の凹部６６１０が設けられ、また、凹部６６１０の外側に２本の支軸６６１２が突設されている。
凹部６６１０には、図１３に示す矩形板状の遮光マスク６８が配置され、接着剤により固定されている。遮光マスク６８は液晶表示パネル６０Ｒ、６０Ｇ、６０Ｂで表示される画像の輪郭を決定するものである。
また、パネルカバー６６の厚さ方向の他方の面寄りの短辺の側壁箇所には、係合壁６６１４が突設されている。
【００２３】
図１４、図１５はホルダ８０の斜視図である。
図８に示すように、リターダ６２はホルダ８０に取着されている。
ホルダ８０は、図１４、図１５に示すように、矩形枠状の本体片８００２と、本体片８００２の短辺の一側に形成された操作片８００４と、本体片８００２の短辺の他側に形成された折曲片８００６と、本体片の長辺の両側に形成された一対の挟持片８００８とを備えている。
本体片８００２の内側に開口８０１０が設けられている。
操作片８００４は、本体片８００２から本体片８００２の一方の面に屈曲された後、本体片８００２と平行する面内で延在形成され、屈曲された部分には欠部８０１２が形成されている。
折曲片８００６は、本体片８００２から一方の面に屈曲されて形成され、屈曲された部分には欠部８０１４が形成されている。
挟持片８００８は、本体片８００２から他方の面に屈曲されて形成され、互いに対向している。
本体片８００２の両側の短辺には、円弧状のガイド溝８０１６が形成されている。
【００２４】
図１６はリターダ６２の斜視図である。
リターダ６２は矩形板状に形成され、透過する光の偏光方向を回転させる機能（円偏光を生じさせる機能）を有している。
リターダ６２は、図１７に示すように、その長辺がホルダ８０の一対の挟持片８００８に挟持されて本体片８００２の他方の面に載置され、接着剤により固定されており、リターダ６２は開口８０１０に臨んでいる。
【００２５】
図１７、図１８は第２の枠部材６４にパネルカバー６６、遮光マスク６８、ホルダ８０、リターダ６２などが組み込まれた状態を示す斜視図である。
リターダ６２が固定されたホルダ８０は、その一方の面が、パネルカバー６６の厚さ方向の他方の面に載置され、ガイド溝８０１６に支軸６６１２が挿通され、欠部８０１２、８０１４に係合壁６６１４が挿通されてパネルカバー６６に配設されている。
これにより、リターダ６２はホルダ８０を介して液晶表示パネル６０の表示面６００２に対向し表示面６００２と平行に配設され、液晶表示パネル６０の表示面６００２と直交する仮想軸の周りに回転可能に配設されることになる。本実施の形態では、リターダ６２の中心と液晶表示パネル６０の表示面６００２の中心とが合致し、それら合致した箇所を中心にリターダ６２が回転されるように配設されている。
【００２６】
図１９は第１のシール部材８２の斜視図である。
図８に示すように、リターダ６２と、液晶表示パネル６０の表示面６００２との間に枠状の第１のシール部材８２が設けられている。
第１のシール部材８２は、その基部全周が、液晶表示パネル６０に臨むホルダ８０の面に取着されている。
また、第１のシール部材８２の先部全周は、本実施の形態では、遮光マスク８２上に摺動可能に弾接され、これによりリターダ６２と液晶表示パネル６０の表示面６００２との間が第１のシール部材８２により閉塞されている。
第１のシール部材８２として例えばゴムなどの弾性部材が使用可能である。
【００２７】
このようにパネルカバー６６、遮光マスク６８、ホルダ８０、リターダ６２が組み付けられた第２の枠部材６４は、リターダ６２をプリズムブロック７０の入出射面７６Ｒ、７６Ｇ、７６Ｂに平行させた状態でそれらの取り付け片６４０４が対応する第１の枠部材７８の取り付け片７８０６に合わされ、それら取り付け片６４０４、７８０６が半田付けにより取着されることでプリズムブロック７０に配設されている。
さらに、それらパネルカバー６６、遮光マスク６８、ホルダ８０、リターダ６２の外側を覆うように、第２のシール部材８４が設けられている。
図２０、図２１は第２のシール部材８４の斜視図である。
第２のシール部材８４は、第１の枠部材７８の取り付け面部７８０２と端面７６０２で形成される開口の周囲と第２の枠部材６４の開口６４０２の周囲とを接続するように設けられ、第２のシール部材８４は、第１の枠部材７８と第２の枠部材６４とで挟持され固定されている。
第２のシール部材８４としては第１のシール部材８２と同様に例えばゴムなどの弾性部材が使用可能である。
操作片８００４は、第２のシール部材８４の欠部８４０２を通って外側に延在し、リターダ６２の調節後、操作片８００４と欠部８４０２との間は接着剤により閉塞される。なお、欠部８４０２はリターダ６２の回転調節時に操作片８００４の動きが許容されるように延在形成されている。
操作片８００４の先部は、リターダ６２の調節後、第２の枠部材６４に半田により固定される。
また、フレキシブル基板６１も、第２のシール部材８４の欠部８４０２を通って外側に延在し、フレキシブル基板６１と欠部８４０２との間も接着剤により閉塞される。
【００２８】
次にリターダ６２の調節について説明する。
まず、各液晶表示パネル６０Ｒ、６０Ｇ、６０Ｂには所定のテスト用画像を表示させた状態で、パネルカバー６６、遮光マスク６８、ホルダ８０、リターダ６２が組み付けられた第２の枠部材６４のプリズムブロック７０への位置決め調整を行う。
すなわち、図３に示すように、照明手段１２から画像形成手段１４に出射された赤色（Ｒ）の光束は、第１のビームスプリッタ１４０２Ｒを透過し、リターダ６２を通過して赤色の液晶表示パネル６０Ｒに照射されこの赤色の液晶表示パネル６０Ｒで反射されることで前記画像情報に基づいて変調された後、再びリターダ６２を通過して第１のビームスプリッタ１４０２Ｒで反射されクロスダイクロイックプリズム１４２０に導かれる。
照明手段１２から画像形成手段１４に出射された緑色（Ｇ）の光束は、第２のビームスプリッタ１４０２Ｇを透過し、リターダ６２を通過して緑色の液晶表示パネル６０Ｇに照射されこの緑色の液晶表示パネル６０Ｇで反射されることで前記画像情報に基づいて変調された後、再びリターダ６２を通過して第２のビームスプリッタ１４０２Ｇで反射されクロスダイクロイックプリズム１４２０に導かれる。
照明手段１２から画像形成手段１４に出射された青色（Ｂ）の光束は、第３のビームスプリッタ１４０２Ｂを透過し、リターダ６２を通過して青色の液晶表示パネル６０Ｂに照射されこの青色の液晶表示パネル６０Ｂで反射されることで前記画像情報に基づいて変調された後、再びリターダ６２を通過して第３のビームスプリッタ１４０２Ｂで反射されクロスダイクロイックプリズム１４２０に導かれる。
【００２９】
クロスダイクロイックプリズム１４２０に導かれた３色の光束は、クロスダイクロイックプリズム１４２０によって１つの画像投影光束として合成される。
合成された画像投影光束は、入射レンズ１７、反射ミラー１６、投射レンズ１８を介して反射ミラー４０に照射され、反射ミラー４０によってスクリーン５０の背面に投射され結像されることによりスクリーン５０の前面にカラー画像が形成される。
そして、スクリーン５０にカラー画像が適切に表示されるように、第２の枠部材６４のプリズムブロック７０への位置決め調整を行った後、第２の枠部材６４の取り付け片６４０４を対応する第１の枠部材７８の取り付け片７８０６に合わせ、それら取り付け片６４０４、７８０６を半田付けにより固定する。
そして、第２のシール部材８４の外側から操作片８００４を操作し、ホルダ８０を介してリターダ６２を回転させ、スクリーン５０に表示される画像が良好なコントラストとなるように各液晶表示パネル６０Ｒ、６０Ｇ、６０Ｂに入射する光束および各液晶表示パネル６０Ｒ、６０Ｇ、６０Ｂから反射される光束の円偏光の偏光角を調節する。
リターダ６２の調節後、操作片８００４と欠部８４０２との間を接着剤により閉塞し、また、操作片８００４の先部と第２の枠部材６４とを半田により固定する。
【００３０】
本実施の形態によれば、リターダ６２を回転調節でき、良好なコントラストの画像を得る上で有利となる。
また、各液晶表示パネル６０Ｒ、６０Ｇ、６０Ｂとリターダ６２との間が第１のシール部材８２により閉塞されているので、塵埃の各液晶表示パネル６０Ｒ、６０Ｇ、６０Ｂの表示面６００２への付着を防止でき、鮮明な画像を得る上で有利となる。
特に、反射型の液晶表示パネルは透過型の液晶表示パネルに比べて画素ピッチが狭いため、塵埃の影響を受けやすく、したがって、塵埃の表示面６００２への付着を防止することで鮮明な画像を得る上で極めて有利となる。
また、各液晶表示パネル６０Ｒ、６０Ｇ、６０Ｂとリターダ６２との間が第１のシール部材８２により閉塞されているので、それらパネルカバー６６、遮光マスク６８、ホルダ８０、リターダ６２が組み付けられた第２の枠部材６４をプリズムブロック７０に組み付けるまでの間、塵埃の各液晶表示パネル６０Ｒ、６０Ｇ、６０Ｂの表示面６００２への付着を防止でき、したがって、予めクリーンルーム内においてパネルカバー６６、遮光マスク６８、ホルダ８０、リターダ６２を第２の枠部材６４に組み付けておけば、第２の枠部材６４のプリズムブロック７０への取り付けは、厳格な清浄度が要求されない環境下においても行え、組み立て作業効率を向上させる上で有利となる。
また、パネルカバー６６、遮光マスク６８、ホルダ８０、リターダ６２の外側が第２のシール部材８４で閉塞されているので、プロジェクションテレビジョン装置の使用時に、塵埃の各液晶表示パネル６０Ｒ、６０Ｇ、６０Ｂの表示面６００２への付着をより一層防止でき、鮮明な画像を得る上でより一層有利となる。
【００３１】
（第２の実施の形態）
次に第２の実施の形態について説明する。
図２２、図２３は第２の実施の形態におけるホルダ８０の斜視図、図２４、図２５は第２の実施の形態における第２のシール部材８４の斜視図、図２６は第２の枠部材６４にパネルカバー６６、遮光マスク６８、ホルダ８０、リターダ６２などが組み込まれた状態を示す斜視図である。なお、以下では第１の実施の形態と同様の部材、部分については同一の符号を付して説明する。
【００３２】
第２の実施の形態が第１の実施の形態と異なるのは、操作片８００４を用いずに第２のシール部材８４の外側からリターダ６２の調整を行えるようにしたものであり、ホルダ８０と第２のシール部材８４の構成が第１の実施の形態と異なり、その他の構成は第１の実施の形態と同様である。
第２の枠部材６４に、第１の実施の形態と同様に、支軸６６１２およびガイド溝８０１２を介して前記仮想軸の周りに回転可能にホルダ８０が結合されている。
また、第１の実施の形態と同様に、リターダ６２はホルダ８０で支持され、リターダ６２と遮光マスク６８との間に第１のシール部材８２が配設されている。
ホルダ８０には、押圧操作されることで前記仮想軸の周りで時計回り方向に前記ホルダ８０を回転させる第１の突起８０２０と、押圧操作されることで前記仮想軸の周りで反時計回り方向に前記ホルダ８０を回転させる第２の突起８０２２とが設けられ、ホルダ８０には第１の実施の形態の操作片は設けられていない。
【００３３】
第２のシール部材８４には、前記第１の突起８０２０を収容し前記第２のシール部材８４の外側から前記第１の突起８０２０を押圧操作可能な第１の膨出部８４１０と、前記第２の突起８０２２を収容し前記第２のシール部材８４の外側から前記第２の突起８０２２を押圧操作可能な第２の膨出部８４１２とが設けられている。
このような第２の実施の形態によれば、第２のシール部材８４の外側から第１の突起８０２０または第２の突起８０２２を押圧操作することで、ホルダ８０の第１の突起８０２０および第２の突起８０２２を介してリターダ６２を回転させることができ、第１の実施の形態と同様に、各液晶表示パネル６０Ｒ、６０Ｇ、６０Ｂに入射する光束および各液晶表示パネル６０Ｒ、６０Ｇ、６０Ｂから反射される光束の円偏光の偏光角を調節することが可能となる。
なお、リターダ６２の固定は、例えば、第２のシール部材８４に孔を形成しておき、この孔を介して接着剤によりホルダ８０とパネルカバーとを接着し、その後、孔を接着剤で閉塞するなど種々の方法が考えられる。
【００３４】
なお、本実施の形態では、第１のシール部材８２の先部を遮光マスク６８に弾接させた場合について説明したが、第１のシール部材８２の先部を液晶表示パネル６０の表示面６００２に弾接させるようにしてもよく、要するに、リターダ６２と液晶表示パネル６０の表示面６００２との間を第１のシール部材８２により閉塞すればよい。
また、本実施の形態では、本発明をプロジェクションテレビジョン装置に適用した場合について説明したが、本発明のプロジェクタユニットは、プロジェクションテレビジョン装置以外にも、例えば、フロントプロジェクタ装置やリアプロジェクタ装置などに広く適用可能である。
【図面の簡単な説明】
【００３５】
【図１】（Ａ）は第１の実施の形態のプロジェクションテレビジョン装置１００の正面図、（Ｂ）は側面図である。
【図２】プロジェクションテレビジョン装置１００の分解斜視図である。
【図３】プロジェクタユニット１０の構成を示す説明図である。
【図４】プロジェクションテレビジョン装置１００の電装部の構成を示すブロック図である。
【図５】プリズムブロック７０の斜視図である。
【図６】プリズムブロック７０の斜視図である。
【図７】プリズムブロック７０の平面図である。
【図８】プリズムブロック７０に液晶表示パネル６０およびリターダ６２が取り付けられた状態を示す断面図である。
【図９】第２の枠部材６４と液晶表示パネル６０の部分組み立て状態を示す斜視図である。
【図１０】第２の枠部材６４と液晶表示パネル６０の部分組み立て状態を示す斜視図である。
【図１１】パネルカバー６６の斜視図である。
【図１２】パネルカバー６６の斜視図である。
【図１３】遮光マスク６８の斜視図である。
【図１４】ホルダ８０の斜視図である。
【図１５】ホルダ８０の斜視図である。
【図１６】リターダ６２の斜視図である。
【図１７】第２の枠部材６４にパネルカバー６６、遮光マスク６８、ホルダ８０、リターダ６２などが組み込まれた状態を示す斜視図である。
【図１８】第２の枠部材６４にパネルカバー６６、遮光マスク６８、ホルダ８０、リターダ６２などが組み込まれた状態を示す斜視図である。
【図１９】第１のシール部材８２の斜視図である。
【図２０】第２のシール部材８４の斜視図である。
【図２１】第２のシール部材８４の斜視図である。
【図２２】第２の実施の形態におけるホルダ８０の斜視図である。
【図２３】第２の実施の形態におけるホルダ８０の斜視図である。
【図２４】第２の実施の形態における第２のシール部材８４の斜視図である。
【図２５】第２の実施の形態における第２のシール部材８４の斜視図である。
【図２６】第２の枠部材６４にパネルカバー６６、遮光マスク６８、ホルダ８０、リターダ６２などが組み込まれた状態を示す斜視図である。
【符号の説明】
【００３６】
１０……プロジェクタユニット、１２……照明手段、１４……画像形成手段、６０Ｒ、６０Ｇ、６０Ｂ……反射型液晶表示パネル、６２……リターダ、６４……第２の枠部材、７０……プリズムブロック、７６Ｒ、７６Ｇ、７６Ｂ……入出射面、７８……第１の枠部材、８２……第１のシール部材、８４……第２のシール部材、１００……プロジェクションテレビジョン装置。
【図１】
2007047477.tif 000003
【図２】
2007047477.tif 000004
【図３】
2007047477.tif 000005
【図４】
2007047477.tif 000006
【図５】
2007047477.tif 000007
【図６】
2007047477.tif 000008
【図７】
2007047477.tif 000009
【図８】
2007047477.tif 000010
【図９】
2007047477.tif 000011
【図１０】
2007047477.tif 000012
【図１１】
2007047477.tif 000013
【図１２】
2007047477.tif 000014
【図１３】
2007047477.tif 000015
【図１４】
2007047477.tif 000016
【図１５】
2007047477.tif 000017
【図１６】
2007047477.tif 000018
【図１７】
2007047477.tif 000019
【図１８】
2007047477.tif 000020
【図１９】
2007047477.tif 000021
【図２０】
2007047477.tif 000022
【図２１】
2007047477.tif 000023
【図２２】
2007047477.tif 000024
【図２３】
2007047477.tif 000025
【図２４】
2007047477.tif 000026
【図２５】
2007047477.tif 000027
【図２６】
2007047477.tif 000028